(57)【特許請求の範囲】
【請求項１】
平均粒子核サイズが２０〜６０ｎｍ、平均粒子径が５０〜１２０ｎｍの範囲に含まれ、突起数が核１個につき４以上存在し、この突起部の長さは５〜５０ｎｍであることを特徴とする金ナノ粒子から構成されてなる青色金ナノ粒子。
【請求項２】
紫外可視吸収スペクトルの極大吸収波長が５７０〜８００ｎｍの範囲であることを特徴とする請求項１に記載の青色金ナノ粒子。
【請求項３】
粒子の形態がグラフト型、マルチポット型、または金平糖型の三次元突起部を有する金ナノ粒子であることを特徴とする請求項１または２に記載の青色金ナノ粒子。
【請求項４】
金ナノ粒子からなる核の外周を成長させることにより形成されてなる請求項１〜３のいずれかに記載の青色金ナノ粒子。
【請求項５】
請求項１に記載の青色金ナノ粒子、グッドバッファー成分のピペラジン環を有する有機酸、および還元性を有する有機酸からなり、コロイド溶液として分散されてなることを特徴とする青色金ナノ粒子のコロイド溶液。
【請求項６】
グッドバッファー成分のピペラジン環を有する有機酸と第一の金塩の溶液を反応させて核金ナノ粒子を形成させる核形成工程と、次いで該核金ナノ粒子の溶液に第二の金塩の溶液と還元性を有する有機酸を同時的に添加反応させて、核金ナノ粒子を成長させる成長工程の反応を行なうことを特徴とする青色金ナノ粒子の製造方法。
【請求項７】
成長工程の反応温度を１０℃以上４０℃未満で実施することを特徴とする請求項６に記載の青色金ナノ粒子の製造方法。
【請求項８】
成長工程における有機酸の濃度が０．０７５〜０．１５ｍＭであることを特徴とする請求項６または７に記載の青色金ナノ粒子の製造方法。
【請求項９】
グッドバッファー成分のピペラジン環を有する有機酸が、２−［４−（２−ヒドロキシュチル）−１−ピペラジニル］エタンスルホン酸、４−（２−ヒドロキシエチル）−１−ピペラジンプロパンスルホン酸、４−（２−ヒドロキシエチル）ピペラジン−１−（２−ヒドロキシプロパン−３−スルホン酸）、ピペラジン−１
，４−ビス（２−エタンスルホン酸）、３−［４−（２−ヒドロキシエチル）−１−ピペラジニル］プロパンスルホン酸及びピペラジン−１ ，４−ビス（2−ヒドロキシ−３−プロパンスルホン酸）からなる群から選ばれた１種又は２種以上であることを特徴とする請求項８に記載の青色金ナノ粒子の製造方法。
【請求項１０】
還元性を有する有機酸が、酒石酸、酒石酸塩、タンニン酸、タンニン酸塩、アスコルビン酸、アスコルビン酸塩、クエン酸及びクエン酸塩からなる群から選ばれた１種又は２種以上であることを特徴とする請求項６に記載の青色金ナノ粒子の製造方法。
【請求項１１】
成長工程において、 還元性を有する有機酸と共にグッドバッファー成分のピペラジン環を有する有機酸をさらに含むことを特徴とする請求項６に記載の青色金ナノ粒子の製造方法。
【請求項１２】
請求項１〜４のいずれかに記載の青色金ナノ粒子を含む免疫学的測定用標識物質。
【請求項１３】
形状の異なる少なくとも二種類の金ナノ粒子から構成されることを特徴とする請求項１２に記載の免疫学的測定用標識物質。
【請求項１４】
球状の金ナノ粒子とグラフト型、マルチポット型、または金平糖型の三次元突起を有する金ナノ粒子の少なくとも２種類から構成される請求項１３に記載の免疫学的測定用標識物質。
【請求項１５】
請求項１〜４のいずれかに記載の青色金ナノ粒子を標識物質として用いる免疫学的測定方法。
【発明の詳細な説明】
【技術分野】
【０００１】
本発明は、高度に鮮明な発色性を有し、しかも安定的な持続性を有し、識別性に優れた、免疫学的測定用の標識剤、タンパク質染色剤として有用な青色金ナノ粒子、青色金ナノ粒子のコロイド液に関する。また、本発明の青色金ナノ粒子の製造方法およびそれを用いた検査キットおよびその測定方法に関する。さらに、本発明の青色金ナノ粒子を、免疫測定系における標識物質として用いる免疫学的測定用標識物質に関する。
【背景技術】
【０００２】
近年、免疫クロマトグラフィー用ストリップ形式のイムノアッセイは、抗体の持つ特異的反応性を利用して、試料液中の抗原を検出する簡便な体外診断キットもしくは携帯用診断装置として重要性が高まっている。特に、最近では、インフルエンザウィルスや細菌といった病原体に対する感染の有無を検査するための免疫クロマトグラフィー法に基づく簡便な多項目検査具についても研究開発が進められている。
【０００３】
免疫学的測定法に用いられる不溶性担体としては、金属コロイド粒子やラテックス粒子が汎用的に用いられるが、ラテックス粒子はタンパク質などの被標識物質の強固な担持行うための化学的官能基の修飾を行うなどの煩雑な製造工程が必要である。そのため、被標識物質の担持が容易であり安価に簡便な製造が可能な金コロイド粒子が好ましく用いられている。
不溶性担体で抗体を標識したイムノクロマトグラフィー法検査薬は、操作が簡便であり、検査も短時間で終わることから汎用的に使われているが、一般的にＥＩＡと比較して感度が低く、陽性の場合に観察されるラインが明瞭でない等の問題点があった。
かかる問題点を解決するために、従来から実用化されている金コロイド粒子よりも一層高感度で、免疫学的測定用の標識剤、タンパク質染色剤として好適な種々の金属コロイドの開発が行なわれている。
【０００４】
特許文献１では、イムノクロマト法においては白金コロイド粒子の平均粒径が小さいために発色が不十分で、実用に適さないため、金コロイド粒子（平均粒径：３０〜１００ｎｍ）の表面に白金を担持させて平均粒径が５０〜１５０ｎｍの金属コロイド粒子を提供している。その製造方法としては、溶媒中で塩化金酸を還元して金コロイド粒子を生成した後、該金コロイド粒子の存在下で塩化白金酸を還元している。（特許文献１参照）
【０００５】
また、特許文献２では、これをさらに改良して一層高感度の金属コロイド粒子を提供している。すなわち、金コロイド粒子（平均粒径：３０〜１００ｎｍ）の表面に、平均粒径が５ｎｍの白金を担持させた金属コロイド粒子を提供している。その製造方法としては、媒体中で金コロイド粒子を製造する際の還元剤の配合量、および白金を金コロイド粒子に還元担持する際の還元剤の配合量を、特定の範囲とし、また、媒体中に保護コロイド形成剤を実質上含まない製造方法によっている。このような保護コロイド形成剤とは、例えば、ＰＶＡ、ＰＶＰ、ゼラチン等の水溶性高分子物質、界面活性剤、高分子キレート剤などが挙げられている。（特許文献２参照）
【０００６】
免疫学的及び免疫細胞学的診断検査において感度向上のための別手法として、金ゾル極微粒子をアルカンチオール（誘導体）でコーティングすることにより、金ゾル表面に特定の疎水性−親水性バランスを付与して、塩で誘起される凝集に耐性を示し、かつ金ゾル表面と外来タンパク質との非特異的相互作用を最小限に抑える方法が提供されている。（特許文献３参照）
【０００７】
また一方で、妊娠診断用の体外診断薬において、従来から、一般的に実用化されている赤色の球状金コロイド粒子を、より高感度なものとするための改良もなされている。金コロイドが用途に合わせた粒径で、粒子径分布がシャープで、均一な真球状であることが求められ、その製造法が開発されている。
特許文献４では、第一の金塩溶液に第一の還元剤（クエン酸塩）を添加して、核コロイド粒子（平均粒子径：１２〜１７ｎｍ）を形成する核形成段階、前記核コロイド粒子の溶液に、第二の金塩と第二の還元剤（アスコルビン酸塩）を同時に添加して核コロイドを成長させる成長段階とを含み、前記成長段階は１回以上行なっている。金コロイド粒子の平均粒子径は、１回目の成長段階で１７〜５５ｎｍ未満、２回目の成長段階で５５〜１１０ｎｍ未満、３回目の成長段階で１１０〜２２０ｎｍとしており、その粒径の標準偏差は１０％以内となっている。（特許文献４参照）
【０００８】
妊娠診断薬のように妊娠か否かといった１項目のみを検査する場合は、目視判定に当たり、１種類の標識剤を使用すればよいであろうが、最近ではかぜ様感染症や呼吸器感染症におけるウイルス検査のように、原因ウイルスの特定を行なう必要がある場合は、多項目検査を行なわなければならないので、患者さんや医療従事者の負担軽減を意図して多様な検査様式が開発されている。
【０００９】
例えば、ラテラルフロータイプのイムノアッセイ法によって、複数のウイルス（ロタウイルス、カルシウイルス、コロナウイルス、アデノウイルス、エンテロウイルス等）を、一つの検査具により、検出できるものが知られているが、検出ラインが複数になるため目視判定による誤判定が生じやすくなるという問題点がある。
【００１０】
また、呼吸器感染症におけるウイルスのイムノクロマトグラフィー法による検査においては、鼻、痰、および咽頭ぬぐい液といった検体を、検体処理液で前処理して複数の呼吸器感染検査に適した検査試料を調製し、この検査試料の各一部を用いて、第一試験具（例えば、インフルエンザウイルス感染症の検査用）、第二試験具（例えば、アデノウイルス感染症またはＲＳウイルス感染症の検査用）といった複数の試験具により検査するといった検査方法も、開発されている。（特許文献５参照）
【００１１】
さらに、任意の色を持った標識抗体粒子を用いて高い判定能力を有し、２種類以上の標識抗体粒子を用いて２種類以上の測定対象物を同時測定可能な、イムノクロマトグラフィー法を含む測定方法が開発されており、具体的には、ＴＲＩＴＣ（吸収極大：約５５０ｎｍ、赤色）とＦＩＴＣ（吸収極大：約５００ｎｍ、橙色）といった発光色素の組み合わせを用いて、ｈＣＧとＬＨの同時測定を行なっている。（特許文献６参照）
【００１２】
しかしながら、一つの試験具によって、多項目の検査を目視判定により同時に行なう場合には、標識剤やタンパク質染色剤として同一色や同系色のものである場合には、誤判定や誤診断を引起す惧れが生じてくるという問題点があった。目視判定により誤判定や誤診断が生じないためには、標識剤やタンパク質染色剤として相互に識別性の高い色により目視判定が行なわれることが望ましい。
【００１３】
２色混在する場合、その識別性は色の組合わせにより異なる。赤色と青色は目視による色の識別性が高いことから、男女を識別する表示や、お湯（赤色）と水（青色）の表示に見られるように様々な相互識別に用いられている。従来から実用化されている金コロイド粒子は、赤色の球状粒子であるが、色違いの、即ち、赤色に対して識別性の高い青色の金コロイド粒子が、標識剤やタンパク質染色剤として用いられることになれば、目視判定による誤判定や誤診断が著しく低減すると思われるが、青色の金コロイド粒子は、未だ実用化されていない。
【００１４】
特許文献７−９においては、金属ナノ粒子の大きさ、模様、構造・形状等を変化させて種々の光吸収波長特性を有する金属ナノ粒子について記載されている。
その特許文献７および８には、青色を呈する金ナノ粒子は、金ナノシェル、ナノロッド、ナノチューブまたはナノプリズム粒子の構造・形状であること、また、金ナノ粒子は、（１）黄色を呈する銀ナノ粒子液（ポリビニルピロリドンおよびエチレングリコールといった保護剤を含有）に、還元剤を添加した後、約１００℃で還流させる段階、（２）前記還流された反応液に金塩溶液を注入反応させる段階、（３）前記反応物を常温まで冷却した後、０．２μｍのマイクロフィルターを使用してろ過する段階、によって製造しており、得られた金ナノ粒子は、表層のみが金で構成される形態（金ナノシェル）である。金ナノロッド、金ナノチューブまたは金ナノプリズムは、金ナノ粒子の生成時にヘキサデシルトリメチルアンモニウムブロマイド（臭化物）（Ｃ１６ＴＡＢ）のような界面活性剤を用いて得られることの記載がある。粒子の大きさについては、明確な記載が無く、その用途としては化粧料用顔料の記載があるが、免疫学的測定法における標識剤やタンパク質染色剤としての使用については記載が無い。（特許文献７、８参照）
【００１５】
特許文献９には、Ｃ１６ＴＡＢ（アンモニウム塩の界面活性剤）が存在する水溶液中で金イオンを還元剤（アミン類）で還元してロッド状の金ナノ粒子を得ている。該金ナノ粒子のアスペクト比（長軸／短軸）は、併用するアミン類とアンモニウム塩の混合比を調整することによって制御でき、アスペクト比：２〜１１、吸収波長ピーク域：６５８〜１２００ｎｍの金ナノロッドが得られている。検査薬に使用できるという記載がある。（特許文献９参照）
しかしながら、界面活性剤として用いたＣ１６ＴＡＢが、得られた金ナノロッド中に含有されているので、検出抗体等の蛋白質の直接担持（修飾）には不向きであり界面活性剤の除去・置換などの煩雑な操作が必要なことから、免疫学的測定法における検査薬に用いる蛋白質などの標識物質としては好ましいとは言えない。また、Ｃ１６ＴＡＢは毒性を有しており、取り扱いの観点からも好ましいとは言えない。
【００１６】
非特許文献１には、青緑色を呈する枝状金ナノ結晶のコロイドが記載され、該枝状金ナノ結晶は、複雑な三次元構造で、１〜８つの突起を持ち、突起を含めた結晶サイズは３０〜５０ｎｍ（約１５〜２５ｎｍの突起長さ、約８ｎｍの幅を持つ）である。該三次元枝状金ナノ結晶は、塩化金酸水溶液とグッドバッファー成分の有機酸（ＨＥＰＥＳ、ＨＥＰＰＳＯ、ＰＩＰＥＳ等）を、室温で反応させることにより、高収率（９２％）で得られている。（非特許文献１参照）
【００１７】
しかしながら、非特許文献１で得られた青緑色を呈する枝状金ナノ結晶のコロイドの結晶サイズは３０〜５０ｎｍであるため、イムノクロマト診断薬として使用しても発色が不十分で目視判定が難しく、好適なサイズではない。
以上の先行技術に見るとおり、青緑色の金ナノ結晶のコロイドが、特にイムノクロマト診断薬の標識用担体に適さない理由は、そのナノコロイドの粒子サイズが、約３０〜５０ｎｍと比較的小さく、さらに、いわゆるマルチポット型、枝状型、或いは金平糖状と称されるものは、形状安定剤を使用する場合が多く、この形状安定剤により、タンパク質の金ナノ粒子への直接の修飾が困難となる問題が発生する為である。
【発明の概要】
【発明が解決しようとする課題】
【００１８】
本発明は、青色金ナノ粒子、その金ナノ粒子が媒体中に分散してなる青色金ナノ粒子のコロイド液、および目視で青色の高度な鮮明な色を呈し、品質の安定性、保存安定性、および識別性に優れた、免疫学的測定用の標識剤、タンパク質染色剤として有用な、従来の赤色とは色違いの識別容易な青色金ナノ粒子を提供すること、その製造方法、それを用いることによる測定の精度を高めた検査キットおよびその測定方法に関する課題を解決しようとするものである。
参考にした技術文献における青色金ナノ粒子は、イムノクロマト診断薬用の担体に適さない問題点が２つ存在する。
１．免疫学的測定に適した粒子サイズではない。（イムノクロマト試薬に適する粒子サイズは、平均粒子径４０〜１００ｎｍ程度である。参考技術文献によると、粒子サイズは３０ｎｍ程度である。）
２．形状安定剤を含んでいる点。（他の技術文献における三次元枝状金ナノ粒子は、その形状を制御するために形状安定剤を含んでいる。この形状安定剤により、タンパク質の金ナノ粒子への直接の修飾が困難となる。）
【００１９】
本発明者等は、上記問題点を解決するために、まず、免疫学的測定に適したサイズにするために、粒子のサイズを大きくし、また、タンパク質の金ナノ粒子への修飾が直接できるような形状安定剤を選択することによって、イムノクロマト診断薬用の担体に適した青色金ナノ粒子、さらに詳しくは、イムノクロマトグラフィー法による多項目検出において、多項目検出試薬に用いることができる色違い青色金ナノ粒子の提供を達成したものである。
【課題を解決するための手段】
【００２０】
本発明は、免疫学的測定に適した、タンパク質の金ナノ粒子への修飾が容易で、且つ多項目検出試薬に最適な、金平糖（ｃｏｎｆｅｉｔｏ）状の色違い青色金ナノ粒子を提供する。
すなわち、本発明の青色金ナノ粒子は、グッドバッファー成分のピペラジン環を有する有機酸（例えば、ＨＥＰＥＳ等）、Ａｕ（金）、および還元性を有する有機酸（例えば、アスコルビン酸、クエン酸等）からなり、平均粒子径が２０〜２００ｎｍ、色彩の鮮明性や持続安定性さらにコロイドの持続安定性から考えると好ましくは４０〜１８０ｎｍ、検査の識別顕著性などの実用的な諸事情の見地からは通常最も好ましくは５０〜１２０ｎｍ、さらに最も適正な範囲は６０〜１００ｎｍであって、青色金ナノ粒子がコロイド液として分散された液が目視で青色を呈することを特徴とする。
【００２１】
本発明の色違い青色金ナノ粒子は、金平糖状の形状をしており、平均粒子径が２０〜２００ｎｍ、好ましくは４０〜１８０ｎｍ、通常最も好ましくは５０〜１２０ｎｍさらに最も適正な範囲は６０〜１００ｎｍ、平均粒子核サイズが２０〜６０ｎｍの範囲、５７０〜７５０ｎｍの範囲に極大吸収波長を持つことを特徴とする、金ナノ粒子のコロイド水溶液である。好ましくは、突起長が５〜５０ｎｍの範囲、突起数が４以上である。本発明の色違い金コロイド水溶液に含まれる金ナノ粒子をイムノクロマト法における標識物質として用いれば、赤色と識別性の高い青色での検出が可能となり、多項目の同時検出において誤診断を低減したイムノクロマト測定が行える。
本発明は、青色金ナノ粒子、青色金ナノ粒子のコロイド液、その製法および免疫学的測定に適した、タンパク質の青色金ナノ粒子への修飾が容易で、且つ多項目検出試薬に最適な、金平糖状の色違い青色金ナノ粒子を提供することができたものである。
なお、本発明の青色金ナノ粒子のコロイド液とは、ナノサイズ（ｎｍ）の微粒子、特に金ナノ粒子が水のような各種の媒体中に分散している状態のものを指す。
すなわち、本発明の色違い青色金ナノ粒子は、グッドバッファー成分のピペラジン環を有する有機酸、Ａｕ（金）、および還元性を有する有機酸（例えば、アスコルビン酸、クエン酸等）から形成されてなる目視で青色を呈する青色金ナノ粒子である。
【００２２】
本発明によると、以下に記載の青色金ナノ粒子、その製造方法およびその使用方法が提供される。本発明の特に金ナノ粒子の特徴は以下のとおりである。
（ａ）本発明の第１の特徴は、平均粒子核サイズが２０〜６０ｎｍ、平均粒子径が５０〜１２０ｎｍの範囲に含まれ、突起数が核１個につき４以上存在し、この突起部の長さは５〜５０ｎｍであることを特徴とする金ナノ粒子から構成されてなる青色金ナノ粒子にある。
（ｂ）本発明の第２の特徴は、紫外可視吸収スペクトルの極大吸収波長が５７０〜８００ｎｍの範囲であることを特徴とする（ａ）に記載の青色金ナノ粒子にある。
（ｃ）本発明の第３の特徴は、粒子の形態がグラフト型、マルチポット型、または金平糖型の三次元突起部を有する金ナノ粒子であることを特徴とする（ａ）または（ｂ）に記載の青色金ナノ粒子にある。
（ｄ）本発明の第４の特徴は、金ナノ粒子からなる核の外周を成長させることにより形成されてなる（ａ）〜（ｃ）のいずれかに記載の青色金ナノ粒子にある。
【００２３】
本発明の金ナノ粒子が、水のような媒体中に分散してなるコロイドの特徴は、以下のとおりである。
（ｅ）本発明の第５の特徴は、（ａ）に記載の青色金ナノ粒子、グッドバッファー成分のピペラジン環を有する有機酸、および還元性を有する有機酸からなり、コロイド液として分散されてなることを特徴とする青色金ナノ粒子のコロイド液にある。

【００２４】
本発明の特に金ナノ粒子の製造方法の特徴としては以下のとおりである。
（ｆ）本発明の第６の特徴は、グッドバッファー成分のピペラジン環を有する有機酸と第一の金塩の溶液を反応させて核金ナノ粒子を形成させる核形成工程と、次いで該核金ナノ粒子の溶液に第二の金塩の溶液と還元性を有する有機酸を同時的に添加反応させて、核金ナノ粒子を成長させる成長工程の反応を行なうことを特徴とする青色金ナノ粒子の製造方法にある。
（ｇ）本発明の第７の特徴は、成長工程の反応温度を１０℃以上４０℃未満で実施することを特徴とする（ｆ）に記載の青色金ナノ粒子の製造方法にある。
（ｈ）本発明の第８の特徴は、成長工程における有機酸の濃度が０．０７５〜０．１５ｍＭであることを特徴とする（ｆ）または（ｇ）に記載の青色金ナノ粒子の製造方法にある。
（ｉ）本発明の第９の特徴は、グッドバッファー成分のピペラジン環を有する有機酸が、２−［４−（２−ヒドロキシエチル）−１−ピペラジニル］エタンスルホン酸、４−（２−ヒドロキシエチル）−１−ピペラジンプロパンスルホン酸、４−（２−ヒドロキシエチル）ピペラジン−１−（２−ヒドロキシプロパン−３−スルホン酸）、ピペラジン−１，４−ビス（２−エタンスルホン酸）、３−［４−（２−ヒドロキシエチル）−１−ピペラジニル］プロパンスルホン酸及びピペラジン−１，４−ビス（２−ヒドロキシ−３−プロパンスルホン酸）からなる群から選ばれた１種又は２種以上であることを特徴とする（ｈ）に記載の青色金ナノ粒子の製造方法にある。
（ｊ）本発明の第１０の特徴は還元性を有する有機酸が、酒石酸、酒石酸塩、タンニン酸、タンニン酸塩、アスコルビン酸、アスコルビン酸塩、クエン酸及びクエン酸塩からなる群から選ばれた１種又は２種以上であることを特徴とする（ｆ）に記載の青色金ナノ粒子の製造方法にある。
【００２５】
（ｋ）本発明の第１１の特徴は、成長工程において、還元性を有する有機酸と共にグッドバッファー成分のピペラジン環を有する有機酸をさらに含むことを特徴とする（ｆ）に記載の青色金ナノ粒子の製造方法にある。
次に、本発明の特に免疫学的測定用標識物質としての特徴は、以下のとおりである。
（ｌ）本発明の第１２の特徴は、（ａ）〜（ｄ）のいずれかに記載の青色金ナノ粒子を含む免疫学的測定用標識物質にある。
（ｍ）本発明の第１３の特徴は、形状の異なる少なくとも二種類の金ナノ粒子から構成されることを特徴とする（ｌ）に記載の免疫学的測定用標識物質にある。
（ｎ）本発明の第１４の特徴は、球状の金ナノ粒子とグラフト型、マルチポット型、または金平糖型の三次元突起を有する金ナノ粒子の少なくとも２種類から構成される（ｍ）に記載の免疫学的測定用標識物質にある。
（ｏ）本発明の第１５の特徴は、（ａ）〜（ｄ）のいずれかに記載の青色金ナノ粒子を標識物質として用いる免疫学的測定方法にある。
以上の発明の構成を採ることにより、本発明の課題を解決することができた。
【発明の効果】
【００２６】
本発明の色違い青色金ナノ粒子は、平均粒子径が２０〜２００ｎｍ、好ましくは４０〜１８０ｎｍ、通常最も好ましくは５０〜１２０ｎｍさらに最も適正な範囲は６０〜１００ｎｍの範囲であるため、イムノクロマト診断薬に最適な粒子サイズを提供することができる。
また、球状の赤色金ナノ粒子等と併用することにより、複数色の判定ラインを有するイムノクロマト診断薬を製造できるため、多項目検査において目視判定が容易かつ正確にできるので、誤診断・誤判定をすることが無い。
さらに、本発明の色違い青色金ナノ粒子にあっては、タンパク質の修飾が容易であるため、感度の低下がなく、正確に結果の判定が可能であって、イムノクロマト診断薬としての性能が優れている。
さらにまた、本発明の色違い青色金ナノ粒子は、イムノクロマト診断薬化した際のコストが、他の製法で得られた粒子に比べて安価である。
【図面の簡単な説明】
【００２７】
本発明の青色金ナノ粒子の形態および寸法概要を示す写真図
【図１】本発明の青色金ナノ粒子の一例の形態および寸法概要を示す透過電子顕微鏡写真像である。
【図２】本発明の青色金ナノ粒子の一例の成長前と成長後の透過電子顕微鏡写真像である。
【図３】本発明の青色金ナノ粒子の他の一例の成長前と成長後の透過電子顕微鏡写真像である。左図（３−Ａ）は、２０倍（図内スケールバーの長さが５０ｍｍ、右図（３−Ｂ）は、５０倍（図内スケールバーの長さが２０ｍｍ）である。
【図４】本発明の青色金ナノ粒子合成における、波長（ｎｍ）と各種反応温度（℃）の関係を示す図である。
【図５】本発明の青色金ナノ粒子合成における、波長（ｎｍ）とアスコルビン酸濃度の関係を示す図である。
【図６】本発明の青色金ナノ粒子のイムノクロマト試薬に使用した場合の検出感度の比較を示す図である。
【発明を実施するための最良の形態】
【００２８】
本発明の青色金ナノ粒子は、一挙に平均粒子径が大きいものを製造するのが合理的であるが、一旦所定の大きさの粒子を生成させて後に、成長工程を経て大きい粒子径のものを入手するのが合理的であって、平均粒子径が２０〜２００ｎｍの金ナノ粒子から構成されているものである。また、本発明の金ナノ粒子が媒体中に分散してなるコロイド液の、色違い金コロイド粒子の平均粒子径は、２０〜２００ｎｍであるが、好ましくは４０〜１８０ｎｍ、通常最も好ましくは５０〜１２０ｎｍ、さらに最も適正な範囲は６０〜１００ｎｍの範囲である。検査の識別顕著性などの実用的な諸事情の見地から粒子径分布がシャープで、均一な金平糖（ｃｏｎｆｅｉｔｏ）状の形態であることがより好ましい。この平均粒子径は、通常、重力的光散乱法（コロイド粒子を、ゾル状体のまま、１４０００〜５５３００００×ｇで回転させて超遠心分離機にかけ、その沈降速度から求める。）により求めることができるが、本発明では、透過型電子顕微鏡（ＴＥＭ：日本電子（株）製、ＪＥＭ−２０１０）により、撮影した投影写真を用いて無造作に１００個の粒子を粒子の投影面積円相当径を計測し、その平均値から平均粒径（平均粒子径）を算出する。
【００２９】
その金ナノ粒子の粒度分布を見れば、Ｘ軸（例えば、金ナノ粒子サイズ）とＹ軸（例えば、数分率）を決め、平均粒子の分布曲線をプロットすれば、本発明の金ナノ粒子は、その分布曲線の頂点が、通常は４０〜１２０ｎｍ、好ましくは５０〜１１０ｎｍ、より好ましくは６０〜１００ｎｍの範囲の粒子サイズに実質的に属しており、分布曲線が比較的狭いということである。これは、粒子サイズが近似した、均一な粒子サイズものが多く存在するということであり、ナノ粒子の挙動が、安定で、信頼値が高く、異物の混在による誤差範囲の発生を抑制する性質を有することが予測される。
定量的には、通常は２０〜２００ｎｍの範囲に属する金ナノ粒子の総重量は、４０％以上、好ましくは６０％以上、より好ましくは８０重量％以上存在することが好ましい。残りのものは、成長しないもの、真球状のもの、未反応残渣などから構成される。
【００３０】
本発明の色違い金ナノ粒子は、金平糖（ｃｏｎｆｅｉｔｏ）状の形態を有しており、製法の操作を変えると、平均粒子径が２０〜２００ｎｍの任意のものが得られるが、標識粒子として使用する場合には、平均粒子径として、普通サイズで５０〜１２０ｎｍの範囲のもの、好ましくは５５〜１００ｎｍ程度のものが、特定の標識粒子の色による目視判定の精度を高めることに優れている。この粒子サイズは、いわゆる金平糖（ｃｏｎｆｅｉｔｏ）状の型であるため、多数の突起が形成されていて、その突起を含めた平均粒子径が各５０〜２００ｎｍの範囲に含まれていることが好ましい。この場合に、突起の数は、核１個につき約１〜２０個、好ましくは約４〜１０個と多数存在可能ではあるが、突起の長さも影響するので、通常突起の長さは５〜５０ｎｍ程度である。この突起の数、長さなどは、核の成長に関係するので、予め特定の数や長さを決めることは非常に困難である。
【００３１】
この、核に三次元状突起を有する金ナノ粒子、金ナノコロイド粒子を、本発明では、グラフト型、マルチポット型、または金平糖型の金ナノ粒子、または金ナノコロイド粒子と総称している。いわゆる金ナノ粒子、金ナノコロイド粒子の形態として、ナノキューブ、ナノロッド、ナノポット、星型、或いは、核に突起が枝状に三次元に成長したグラフト型というような、図１に見られるような形態をした、グラフト型金ナノ粒子とも呼称する各種の公知の呼称の形状の三次元状突起を有する構造の物の存在が想定できる。さらには本発明の鮮明な青色を呈する金ナノコロイド粒子の形態は、その形状、構造は、防波堤に使用されるテトラポットに類似しているので、その用語を援用すれば、枝１本がグラフト成長したものをモノポット、枝が増えるに従ってジポット、トリポット、テトラポット、ペンタポットなどの各種形態のものを取り得るが、本発明では核に突起が４〜１０程度と、比較的多いものが推奨されるので、マルチポットと総称することができる。本発明のマルチポット型金ナノコロイド粒子、または金平糖型金ナノコロイド粒子は、従来型の赤色を呈する真球状金コロイド粒子に比較して広がりに応じた色を呈する。これが青色などの、金ナノコロイド液の色彩の多様化を可能にする。
【００３２】
詳細には、本発明の青色金ナノ粒子の典型的な物性値の一態様を示すと、本発明のグラフト型、マルチポット型、または金平糖型の三次元状突起を有する金ナノ粒子の範疇に属するものとは、図１の左図（１ａ）の金ナノ粒子の形態の一例である。この金ナノ粒子の中心部分は、いわゆる核が存在して、その核上に、突起または枝がグラフト成長したものであり、その成長のグラフト起点が密接であるために、核と突起が一体となったマルチポット型金ナノ粒子、または金平糖型金ナノ粒子のように見える。詳細には、図１の左図（１ａ）、右図（１ｂ）に見るとおりの形態を有する。図１の金ナノ粒子の例の詳細は、５０ｎｍ程度の例を示すものであり、図１の例示のものは平均粒子径（ＤＬＳ）６６．５ｎｍ、極大吸収波長６１０ｎｍ程度の特性を有する。さらに補足すれば、ＴＥＭ観察による計測をすれば、金ナノ粒子の平均外径６２．２ｎｍ、平均核径３５．７ｎｍ、平均突起１３．２ｎｍ、突起角５０度程度の形態を有するもので、ＡＲ（アスペクト比）は１以上である。勿論、本発明の金ナノ粒子の平均外径、平均核径、平均突起、および突起角などは、所定の色違いの生成物を考慮して任意に変えることができる。
【００３３】
この色違いの青色金ナノ粒子、青色金ナノコロイドは、多項目診断試薬の開発に有効であり、判定ラインが複数存在する場合に、目視判定する際の誤診断の可能性を無くすることができる。従来の赤色金ナノ粒子と着色ラテックス粒子を他項目の同時測定に用いることも考えられるが、金ナノ粒子とラテックス粒子は粒子サイズが異なるため（汎用されるラテックス粒子は金ナノ粒子より粒子サイズが大きい）、イムノクロマト法で用いる場合は、両方の粒子に適した多孔質のポアサイズを有するイムノクロマト担体を選択することが困難である。そのため、蛋白質などの被標識物質の担持が容易で安価な２種類の色違いの金コロイド粒子を標識物質として用いることが必要とされている。
このような多項目診断試薬における免疫学的測定用標識物質として用いる金ナノ粒子としては、形状の異なる少なくとも二種類の金ナノ粒子から構成されることを特徴とする免疫学的測定用標識物質である。具体的には、球状の赤色金ナノ粒子とグラフト型、マルチポット型、または金平糖型の三次元状突起を有する青色金ナノ粒子の少なくとも２種類から構成されるものが適している。
【００３４】
多項目診断試薬における免疫学的測定用標識物質として用いる本発明の金ナノ粒子は、例えば、一つが球状の金ナノ粒子、他方が三次元突起を有する金ナノ粒子というような、形状の異なる少なくとも二種類、または三種類の金ナノ粒子が混在しているような形態のもの（以下、「混在型金ナノ粒子標識物質」ともいう。）を包含する。この場合には、もし形態別に粒度分布を採れば、球状の金ナノ粒子が形成する粒度分布曲線と、三次元突起を有する金ナノ粒子が形成する粒度分布曲線からなる頂点が２個存在する分布曲線を形成することも有り得る。勿論３種類の形態を有する金ナノ粒子が混在すれば、頂点が３個有する粒度分布曲線を描くことができる。本発明において、形態の違いを考慮することなく、少なくとも２種類の金属ナノ粒子の粒度分布を採れば、平均粒子径の比較的小さい金ナノ粒子と平均粒子径が比較的大きい金ナノ粒子が混在することになるから、平均粒子径が２０〜２２０ｎｍの、比較的広範囲のものにならざるを得ない。いずれにせよ、各粒度分布曲線がシャープな山形を形成する方が、所定の金ナノ粒子が多いということになるから、測定の精度を高くすることができる。この混在型金ナノ粒子標識物質の詳細な例を下記に説明をする。
【００３５】
本発明の「混在型金ナノ粒子標識物質」の状態を詳細に説明すれば、混在型金ナノ粒子が二種類に認識できる場合、例えば、一つが球状の金ナノ粒子、他方が三次元突起を有する金ナノ粒子の場合を説明すれば、両者の混在割合は標識の検出感度を考慮して、質量％で、１０：９０〜９０：１０の範囲で混在させたものが考えられる。球状の金ナノ粒子が４０質量％の場合には、三次元突起を有する金ナノ粒子６０質量％から構成されるということである。勿論、未反応物、非成長物、不純物のような所定以外のものを除いて算出したものである。
この混在型金ナノ粒子標識物質を構成する、例えば、球状の金ナノ粒子の寸法は、平均粒子径が２０〜２２０ｎｍ、好ましくは３０〜２００ｎｍ、より好ましくは４０〜１５０ｎｍ程度と比較的大きい粒子である。一方、三次元状突起を有する金ナノ粒子の平均粒子径が２０〜２００ｎｍ程度のものが一応混在し得るが、色彩の鮮明性、色彩に長時間の安定性、コロイドの安定性、標識の精度の向上、信頼性を高めるためには、好ましくは４０〜１８０ｎｍ、通常最も好ましくは５０〜１２０ｎｍ、さらに最も適正な範囲は６０〜１００ｎｍの範囲である。
混在型金ナノ粒子標識物質の入手法は、単純に予め製造された所定の平均粒子径を有する球状の金ナノ粒子標識物質と三次元状突起を有する金ナノ粒子標識物質とを、所定割合に混合する手法が挙げられる。
【００３６】
本発明の混在型金ナノ粒子標識物質である形状の異なる少なくとも二種類の金ナノ粒子から構成されることを特徴とする免疫学的測定用標識物質とは、免疫測定系において被検出物と結合能を有する検出物質を修飾し、被検出物との結合により標識するための標識試薬を構成する標識物質として用いる金ナノ粒子を少なくとも２種類含有し、
１）２種類の金ナノ粒子両方の平均粒子径が２０〜２２０ｎｍであること、
２）２種類の金ナノ粒子の一方が球状で、他方が三次元状突起を４個以上有する
ことを特徴とする金ナノ粒子、の態様が挙げられる。
このような二種類の、または三種類の混在型金ナノ粒子標識物質は、一度に多様な抗原を、赤、青、のような色違いで、鮮明に識別することができるので、医療現場の検査負担を軽減し、簡便化できるため、その有用性を著しく向上することができる。
【００３７】
本発明の色違い金コロイド粒子は、目視で青色を呈する。目視で青色を呈するとは、水などの溶媒中に金コロイド粒を分散した金コロイド溶液が、目視で青色、あるいは青緑や青紫など青色に類する色を呈するものである。具体的には、マンセル表色系での測色値が色相３Ｐ〜１Ｐ、１０ＰＢ〜１ＰＢ、１０Ｂ〜１Ｂ、１０ＢＧ〜１ＢＧ、１０Ｇ〜８Ｇである。赤色との識別力を考慮すると色相１０ＰＢ〜１ＰＢ、１０Ｂ〜１Ｂ、１０ＢＧ〜１ＢＧが好ましい。測色について例示すると、分光光度測定に用いる石英セル（光路長１０ｍｍ程度）等にコロイド溶液を充填し、白バック（白画用紙など）で目視にて色調を確認し、市販のマンセル色見本により色相を評価することができる。
【００３８】
本発明の色違い金ナノ粒子の製造方法は、水溶液中で第一の金塩を第一の還元剤で還元して金平糖状の核金ナノ粒子を形成する核形成段階、次いで、該核金ナノ粒子の溶液に、第二の金塩と第二の還元剤とを同時に滴下して核金ナノ粒子を成長させてよりサイズの大きい金平糖状の金ナノ粒子を形成させる成長段階とを含み、成長段階は１回以上行うことができる。
成長段階において、より長い突起を持つ金平糖状の金ナノ粒子を形成させたい場合には、第二の還元剤と共に第一の還元剤、即ち、グッドバッファー成分のピペラジン環を有する有機酸との混合物を用いて行なうことを特徴とする。
第二の還元剤と併用する第一の還元剤の使用量は、成長段階で用いる第二の還元剤の使用濃度の仕様にしたがってそれと同一量の程度で使用できる。即ち、使用する第一の還元剤の濃度は、０．０１〜１００ｍＭの範囲内で達成できる。
【００３９】
青色金ナノ粒子の化学種の挙動を解析するために、一実施態様として、成長反応前の核粒子に相当するものを粒子１と称し、「粒子１」０．４３ｍＭ  ＡｕＣｌ４、３９．０ｍＭ  ＨＥＰＥＳの液を、成長反応後の成長した粒子に相当するものを粒子２と称し、「粒子２」０．０５ｍＭ  ＡｕＣｌ４、０．８２ｍＭ  ＨＥＰＥＳ、０．１０ｍＭ  アスコルビン酸の仕様液を調合してその挙動を解析する。
ピーク波長を変えずに本発明の粒子サイズを大きくした例を示すと、図２に基づいて詳細に説明をすれば、図２の左図（２ａ）「粒子１」の粒子の吸収スペクトルにおいて、本発明はピーク波長を変えることなく、粒子サイズを、右図（２ｂ）「粒子２」の状態に成長させることができるということを本発明者等が達成できたものである。図２のピーク波長とは、約５７０〜６３０ｎｍの範囲を指すものである。
【００４０】
本発明の核形成段階で用いる第一の金塩としては、塩化金酸、三臭化金、三フッ化金、三ヨウ化金、三シアン化金、一塩化金、一臭化金、一フッ化金、一シアン化金、ヒドロキシ金オキシド、トリス硝酸金、硝酸金等、これらの塩類、これらの水和物や金の王水溶液を使用できる。上記した以外のものであっても、水溶液中で第一の金塩を生成するものであれば特に限定されるものではない。
【００４１】
本発明の核形成段階で用いる第一の還元剤としては、グッドバッファー成分のピペラジン環を有する有機酸を使用することが出来る。例えば、２−［４−（２−ヒドロキシエチル）−１−ピペラジニル］エタンスルホン酸（以下、「ＨＥＰＥＳ」と略す。）、４−（２−ヒドロキシエチル）−１−ピペラジンプロパンスルホン酸（以下、「ＨＥＰＰＳ」と略す。）、４−（２−ヒドロキシエチル）ピペラジン−１−（２−ヒドロキシプロパン−３−スルホン酸）（以下、「ＨＥＰＰＳＯ」と略す。）、ピペラジン−１，４−ビス（２−エタンスルホン酸（以下、「ＰＩＰＥＳ」と略す。）、３−［４−（２−ヒドロキシエチル）−１−ピペラジニル］プロパンスルホン酸（以下、「ＥＰＰＳ」と略す。）、ピペラジン−１，４−ビス（２−ヒドロキシ−３−プロパンスルホン酸）（以下、「ＰＯＰＳＯ」と略す。）等が挙げられるが、これらに限定されるものでは無い。好ましい還元剤としては、ＨＥＰＥＳ、ＨＥＰＰＳＯ、ＰＩＰＥＳであり、より好ましい還元剤としては、ＨＥＰＥＳである。これらの混合物であっても適宜使用できる。
【００４２】
本発明の成長段階で用いる第二の金塩としては、核形成段階で用いる第一の金塩として挙げられた金塩を用いることができ、同一であっても異なっていても差支えない。好ましくは、第一の金塩および第二の金塩として、塩化金酸を用いることができる。
【００４３】
本発明の成長段階で用いる第二の還元剤としては、還元性を有する有機酸、例えば、アスコルビン酸およびその誘導体、またはクエン酸およびその誘導体、Ｄ（Ｌ）−リンゴ酸、Ｄ（Ｌ）−酒石酸、タートロン酸、ムチン酸等のα−ヒドロキシカルボン酸、乳酸、タンニン酸、還元糖などを用いることができる。好ましくは、アスコルビン酸およびその誘導体、またはクエン酸およびその誘導体である。最も好ましくは、アスコルビン酸およびその誘導体である。これらの混合物であっても使用可能である。
【００４４】
アスコルビン酸およびその誘導体としては、アスコルビン酸（塩）、その異性体、類似物およびその誘導体などで、還元性を有するものであれば使用可能である。例えば、Ｌ（またはＤ）−アスコルビン酸、イソアスコルビン酸、エリソルビン酸、スコルバミン酸、デヒドロイソアスコルビン酸、デオキシアスコルビン酸、クロロデオキシアスコルビン酸等のハロゲン化デオキシアスコルビン酸、エチルアスコルビン酸等のアスコルビン酸アルキルエステル、アスコルビン酸ナトリウム等のアスコルビン酸アルカリ金属塩、アスコルビン酸カルシウム等のアスコルビン酸アルカリ土類金属塩、などが挙げられる。特に、Ｌ（またはＤ）−アスコルビン酸（塩）、イソアスコルビン酸が好ましく用いられる。これらの混合物であっても適宜使用できる。
【００４５】
クエン酸およびその誘導体としては、クエン酸（塩）、その異性体、類似物およびその誘導体などで、還元性を有するものであれば使用可能である。例えば、クエン酸、イソクエン酸、クエン酸無水物、イソクエン酸無水物、クエン酸ナトリウム、クエン酸カリウム等のアルカリ金属塩、クエン酸アンモニウム等のアンモニウム塩、クエン酸カルシウム等のアルカリ土類金属塩、メチルクエン酸、エチルクエン酸等のクエン酸アルキルエステル、などが挙げられる。特に、クエン酸、クエン酸ナトリウムが好ましく用いられる。これらの混合物であっても適宜使用できる。
【００４６】
本発明の核形成段階における反応温度は、０〜４０℃、好ましくは１０〜３０℃（室温）、より好ましくは１５〜２５℃で、３０分〜５時間反応を行なう。４０℃を超えると球状粒子が増し、収率が低下する。０℃未満にしても収率の増加はなく、技術的に無意味になり、経済的でなく無駄となる。
核形成段階において使用する第一の還元剤の濃度は、１〜１５０ｍＭ、好ましくは３０〜１００ｍＭが使用できる。１５０ｍＭを超えると必要以上の濃度となり、技術的に無意味になり、経済的でなく無駄となる。１ｍＭ未満では還元剤の機能が弱すぎて核形成反応が十分でなくなる。
核形成段階において使用する第一の金塩の濃度は、０．１〜１００ｍＭ、好ましくは１〜５０ｍＭ、より好ましくは５〜２５ｍＭが使用できる。
核形成段階で上記濃度範囲の第一還元剤と上記濃度範囲の第一金塩を反応させて得られる金コロイド溶液の金の濃度が、最終的に０．１〜１００ｍＭとなるような範囲で反応させる。
【００４７】
本発明の成長段階における反応温度は、０〜４０℃、好ましくは１０〜３０℃（室温）、より好ましくは１５〜２５℃であり、１〜１０時間反応を行なう。４０℃を超えると球状粒子に移行する傾向がみられ、収率が低下すると共に、極大吸収波長が５７０ｎｍ未満となり、短波長側に移行する。０℃未満にしても効果に繋がるものはなく、無駄となる。
【００４８】
本発明の金ナノ粒子の合理的な合成方法を鋭意検討した段階で、特に未還元塩化金酸の量を減らすことができないかという点から考察した結果を、図４に基づいて詳細に説明をする。反応温度、反応速度を変えることで、未還元塩化金酸の量の関係を調べると、反応温度を低く設定すれば、より青味を増すことができるということに関係する挙動を示すことを知見した。図４によれば、反応温度は、約１０〜３５℃程度にすることが最適であることがわかる。
同様に図４に基づいて説明をすれば、図４の左図（４ａ）は、各種反応温度１０℃、２０℃、３０℃および４０℃における波長（ｎｍ）の関係を調べたものである。４０℃以上にすれば、青色から赤色に移行する傾向を示す。いわゆる反応温度を高くすれば、金ナノコロイド粒子が赤味を増す傾向を示す。一方、反応温度を低くすれば、金ナノコロイド粒子は青味を増す傾向にある、詳細には、図４の右図（４ｂ）に見るとおり、例えば、波長６００ｎｍ程度の金ナノコロイド粒子を収得する場合には、約１０〜３０℃、最適温度として１５〜２５℃の反応温度を設定すれば容易に達成できる。
【００４９】
本発明の成長段階で用いるアスコルビン酸およびその誘導体のような、第二の還元剤の濃度は、０．０１〜１００ｍＭ、好ましくは１〜５０ｍＭ、より好ましくは５〜２５ｍＭが使用できる。
成長段階におけるアスコルビン酸およびその誘導体の最適量を吟味すれば、図５に見るとおり、青色の金コロイドを発色させるためには、アスコルビン酸濃度は０．０２〜０．０７（質量％）と一応広範囲に使用できるが、青色波長との関係で見れば、アスコルビン酸濃度は、０．０７５〜０．１５ｍＭが最適条件であることがわかり、この範囲は技術的に臨界性のある値であることは本発明者等の知見に基づくものである。
【００５０】
本発明の成長段階で用いる第二の金塩の濃度は、０．１〜１００ｍＭ、好ましくは、０．２ｍＭ〜２０ｍＭが使用できる。
本発明の成長段階で用いる第二の還元剤のモル濃度は、添加した該核金ナノ粒子のモル濃度に対して、５〜５００倍の範囲、より好ましくは２５〜２５０倍の範囲が使用できる。本発明の成長段階で用いる第二金塩のモル濃度は、添加した該核金ナノ粒子のモル濃度に対して、０．１〜１０倍の範囲、より好ましくは０．５〜５倍の範囲である。
第二の金塩と第二の還元剤とは、核形成段階で合成した金コロイド溶液中に、それぞれ０．１〜３．０ｍｌ／分、好ましくは０．３〜１．５ｍｌ／分、特に好ましくは０．５〜１．０ｍＬ／分の速度で同時的に滴下する。
【００５１】
本発明における免疫学的測定方法とは、生体分子が持つ親和力に由来する免疫学的に特異的な結合反応に基づく測定方法であり、例えば、免疫染色法、凝集法、ＥＬＩＳＡ法、イムノクロマト法などが知られている。このような親和力に基づく結合としては、抗原と抗体との結合が代表的なものであり、免疫学的測定法で広く利用されるが、このような結合のみならず、本発明では、糖とレクチンとの結合、ホルモンと受容体との結合、酵素と阻害剤との結合、核酸と相補的な核酸、核酸と核酸との結合能を有する蛋白質との結合なども利用できる。免疫反応免疫学的反応の形態としては、例えば、「固相抗体−抗原−標識抗体（標識試薬）」のようなサンドイッチ形式で複合物を作らせ抗原を捕捉し検出するサンドイッチ法や、固相化抗原と検体中の遊離抗原が反応系内に添加された一定量の標識抗体（標識試薬）に対して競合的に反応することを原理とする競合法等が用いられる。その中でも、抗原と抗体によるサンドイッチ反応を利用するアッセイ法であって、最も簡便な手法は、クロマトグラフィーを用いたイムノクロマト法である。イムノクロマト法は、操作が簡単で検出時間も短く、目視判定が可能であるため、汎用されている。
【００５２】
本発明の青色金ナノ粒子は、各種イムノクロマト試薬に使用した場合の検出感度において優れていることを、図６に基づいて説明をする。図６の結果は、実施例８に記載のインフルエンザＢ型ウイルスのイムノクロマトグラフィー検出と同様の試験で、イムノクロマトリーダーにより発色強度を測定した結果である。「粒子１」は実施例１の核形成段階のみから形成される青色金コロイド粒子懸濁液を標識物質として用いた系であり、「粒子２」は実施例１の核形成段階及び成長段階を経て形成される青色金コロイド粒子懸濁液を標識物質として用いた系である。抗原は、６０μｇ／ｍｌで抗原を含有する水溶液を、「粒子１」では４００倍に希釈し、「粒子２」では２４００倍に希釈しそれぞれ用いた。「粒子１」（抗原希釈倍率１４００倍）と、「粒子２」（抗原希釈倍率２４００倍）とを比較すれば、粒子２が、色が鮮明であることが判る。この理由は、粒子２の被表面積が広い為と予測されるが、原因は多岐にわたり、正確に特定することはできないが、本発明のものは、検出感度が卓越しており、イムノクロマト試薬による目視判定の精度を著しく向上させる効果を有する。
【００５３】
本発明の検出対象物を含む試料（検体）としては、例えば、主として生体試料、即ち、血液、血清、血漿、尿、唾液、髄液、汗、涙、羊水、乳頭分泌液、鼻汁、痰、鼻腔又は咽頭拭い液、皮膚からの浸出液、組織や細胞及び糞便からの抽出物等々が挙げられる。
【００５４】
本発明の検出対象物としては、それと特異的に結合する、例えば、抗原−抗体反応や核酸と相補的な核酸のように特異的に結合する物質が存在するもしくは製造できるものであればよく、特に限定されない。検出対象物が完全抗原といったそれ自体が抗原性を有するものであっても、もしくはハプテン（不完全抗原）といったそれ自体が抗原性を有しなくても化学的変成物とすることにより抗原性を持つに至るものであってもよい。これらの検出対象物と特異的に結合する物質が存在するもしくは製造できるものであればよく、モノクローナル抗体若しくはポリクローナル抗体とすることができる。本発明の検出対象物を例示すれば、ペプチドホルモン（成長ホルモン（ＧＨ）、副腎皮質刺激ホルモン（ＡＣＴＨ）、メラミン細胞刺激ホルモン（ＭＳＨ）、プロラクチン、甲状腺刺激ホルモン（ＴＳＨ）、黄体形成ホルモン（ＬＨ）、卵胞刺激ホルモン（ＦＳＨ）、下垂体ホルモン、カルシユウム代謝調節ホルモン、膵ホルモン、消化管ホルモン、血管作用ホルモン、ヒト絨毛性性腺刺激ホルモン（ｈＣＧ）等の胎盤ホルモン、前立腺性酸性フォスファターゼ（ＰＡＰ）、前立腺特異抗原（ＰＳＡ）、アルカリ性フォスファターゼ、トランスアミナーゼ、トリプシン、ペプシノーゲン、α−フェトプロテイン（ＡＦＰ）、ガン胎児性抗原（ＣＥＡ）等のガン特異物質、免疫グロブリンＧ（ＩｇＧ）等の血清蛋白成分、リュウマチ因子、セロトニン、ウロキナーゼ、フェリチン、サブスタンＰ、エストロン等の卵胞ホルモン、便潜血、梅毒抗体、インフルエンザウィルス、アデノウィルス、ＲＳウィルス、ロタウィルス、ＨＢｓ抗原、ＨＢｓ抗体、クラミジア抗原、Ａ群β溶連菌抗原等の細菌抗原、プロゲストロン等の天然又は合成黄体ホルモン、テストステロン等の男性ホルモン、コルチゾール等の副腎皮質ホルモン、コレステロール、胆汁酸、強心性ステロイド、サポゲニン等のその他のステロイド類、エピネフリン、ドーパミン、生理活性アルカロイド類、アミノ基含有向精神薬類、ＴＲＨ等の低分子ペプチド類、ジヨードサイロニン等の甲状腺ホルモン類、プロスタグランジン類、ビタミン類、ペニシリン等の抗生物質類、ＤＮＡ、ＲＮＡ、オリゴヌクレオチド、ポリヌクレオチド、それらの増幅物、その他生体内成分、生体内投与薬物およびその代謝産物等の他、豚肉、牛肉、鶏肉、卵等々の食品やそれらを含む食品等の抽出液等々が挙げられる。好ましい検出対象物としては、ウイルスに対して用いられ、特に、インフルエンザウイルス、アデノウイルス、ＲＳウイルスに対して、より好ましく用いられる。
【００５５】
本発明の最適な検体は、鼻汁、鼻腔拭い液、咽頭拭い液又は痰である。これらの検体を展開液を使用して予め希釈処理することにより、呼吸器疾患患者から採取される抗原（ウイルス：主にインフルエンザウイルス、アデノウイルス、ＲＳウイルス）を被検出物質として的確に検出することができる。
【００５６】
本発明で使用するイムノクロマトグラフィー用展開液としては、通常、溶媒として水を用い、これに緩衝剤、塩、ブロッキング剤および非イオン界面活性剤を加える。加える順序は特に特定されず、同時に加えても差支えない。展開液として用いる場合には、検出する試料（検体試料）と展開液を予め混合したものを、サンプルパッド（試料添加部分）上に供給・滴下して展開させることもできるし試料によっては先に試料をサンプルパッド（試料添加部分）上に供給・滴下して後、展開液をサンプルパッド（試料添加部分）上に供給・滴下して展開させてもよい。
【００５７】
本発明のイムノクロマトグラフィー用展開液に用いる緩衝剤としては、試料の添加や試料の蒸発や希釈による濃度の変化、外部からの多少の異物の混入によっても致命的な影響を生じない作用（緩衝作用）を持つものであれば特に制限はない。
本発明において、緩衝剤としては、酢酸緩衝液（酢酸＋酢酸ナトリウム）、リン酸緩衝液（リン酸＋リン酸ナトリウム）、クエン酸緩衝液（クエン酸＋クエン酸ナトリウム）、ホウ酸緩衝液、トリス塩酸緩衝液（トリス（ヒドロキシルメチル）アミノメタン＋塩酸）、ＴＥ緩衝液（トリス＋エチレンジアミン四酢酸）、ＴＡＥ緩衝液（トリス＋酢酸＋エチレンジアミン四酢酸）、ＴＢＥ緩衝液（トリス＋ホウ酸＋エチレンジアミン四酢酸）又はＨＥＰＥＳ緩衝液（２−［４−（２−ヒドロキシエチル）−１−ピペラジニル］エタンスルフォン酸）等のグッドバッファー等が挙げられる。好ましくは、酢酸緩衝液、リン酸緩衝液、トリス塩酸緩衝液などであり、より好ましくは、トリス塩酸緩衝液である。
【００５８】
本発明のイムノクロマトグラフィー用展開液に用いる塩としては、酸と塩基の反応により得られた塩であれば特に制限はない。例えば、塩化ナトリウム、塩化カリウムなどが挙げられる。好ましくは、塩化ナトリウムである。
【００５９】
本発明のイムノクロマトグラフィー用展開液に用いる非イオン性界面活性剤としては、ポリオキシエチレンアルキルエーテル、ポリオキシエチレン／ポリオキシプロピレンアルキルエーテル、ポリオキシエチレンソルビタン脂肪酸エステル（商品名「Ｔｗｅｅｎ」シリーズ）、ポリオキシエチレンｐ−ｔ−オクチルフェニルエーテル（商品名「Ｔｒｉｔｏｎ」シリーズ）、ポリオキシエチレンｐ−ｔ−ノニルフェニルエーテル（商品名「ＴｒｉｔｏｎＮ」シリーズ）、アルキルポリグルコシド、脂肪酸ジエタノールアミド、アルキルモノグリセリルエーテル等を挙げることができる。非イオン性界面活性剤は、単独でも２種以上を混合しても用いることが出来る。
【００６０】
本発明のイムノクロマトグラフィー用展開液には、生物学的親和性に基づく副反応を抑制したり、非特異的反応を抑制することが公知の添加剤、例えば、抗原抗体反応の促進あるいは非特異的反応を抑制するためのブロッキング剤として蛋白質（例えば、牛血清アルブミン、ゼラチン、カゼイン等）、高分子化合物（例えば、ポリエチレングリコール、メチルセルロース、ポリビニルピロリドン、ポリビニルアルコール、デキストラン等）、イオン性界面活性剤又はポリアニオン（例えば、デキストラン硫酸、ヘパリン、ポリスチレンスルホン酸、コンドロイチン硫酸等）、あるいは、抗菌剤等々の１種もしくは２種以上を添加して使用することも可能かつ有効であって、何ら妨げるものではない。また、これらの抗原抗体反応の促進あるいは非特異的反応を抑制するための蛋白質、高分子化合物、イオン性界面活性剤又はポリアニオン、あるいは、抗菌剤等々の１種もしくは２種以上を、固定相を構成するクロマトグラフィー媒体上の、移動相の移動経路上に保持させておくことも可能かつ有効であって、何ら妨げるものではない。
【００６１】
検体中の被検出物質を検出するためのイムノクロマトグラフィー装置は、その構造およびその動作・検出手法は、公知である。通常は、試料添加部位（１）、標識物質保持部位（２）、クロマトグラフィー媒体（３）、検出部位（４）（「判定部」ともいう）、吸収部位（５）およびバッキングシート（６）から構成されている。
従来のイムノクロマトグラフィー装置のサンプルパッド中へ、展開液を使用して予め検体を希釈処理して得られた検体試料を滴下して、イムノクロマトグラフィー媒体上を吸収部位の方向へ展開させて、抗原抗体反応により検体中の被検出物質の同定・定量等の検査をすることができる。
【００６２】
イムノクロマトグラフィー装置について、以下に説明をする。
試料添加部位（１）は、試料が迅速に吸収されるが、保持力は弱く、速やかに反応部へと試料が移動していくような性質の、ガラス濾紙等の多孔質シートで構成されている。
【００６３】
標識物質保持部位（２）には、標識成分によって試薬成分を標識した標識試薬を保持させてなる。標識成分としては、金属コロイド粒子、ラテックス粒子、酵素、蛍光化合物等々があり、なかでも金属コロイド粒子が最適である。試薬成分としては、分析物を認識する能力を有する粒子又は分子であり、好ましくはモノクローナル抗体又はポリクローナル抗体若しくはそのフラグメントである（第二試薬）。
【００６４】
クロマトグラフィー媒体（３）は、膜担体上に検出部位（４）を作成したものである。膜担体としては、毛細管現象により試料検体を吸収し移動させることができるものであれば、特に限定されるものではない。例えば、ニトロセルロース、酢酸セルロース、ナイロン、ポリエーテルスルホン、ポリビニルアルコール、ポリエステル、ガラス繊維、ポリオレフィン、セルロース、これらの混合繊維からなる人工ポリマーからなる群から選択される。
【００６５】
検出部位（４）には、モノクローナル抗体又はポリクローナル抗体若しくはそのフラグメント（第一試薬）が、ニトロセルロースのシート上に担持固定されている。
吸収部位（５）は、過剰の試料を迅速に吸収する能力を有する材料、ガラス濾紙等が用いられる。
バッキングシート（６）は、基材である。片面に粘着剤を塗布したり、粘着テープを貼り付けることにより、片面が粘着性を有し、該粘着面上に試料添加部位（１）、標識物質保持部位（２）、クロマトグラフィー媒体（３）、検出部位（４）、および吸収部位（５）の一部または全部が密着して設けられている。バッキングシート（６）は、粘着剤によって試料液に対して不透過性、非透湿性となるようなものであれば、基材としては、特に限定されない。
【００６６】
検出部位（４）に用いる試薬成分（第一試薬）および標識試薬に用いる試薬成分（第二試薬）は、その一方又は両方がモノクローナル抗体であってもよいし、ポリクローナル抗体であってもよいが、標識試薬に用いる試薬成分（第二試薬）は、測定感度等の点から特異性の高いモノクローナル抗体が好ましい。検出部位（４）に用いる試薬成分（第一試薬）としては、モノクローナル抗体でもポリクローナル抗体でも良い。
【００６７】
モノクローナル抗体およびポリクローナル抗体若しくはそのフラグメントは、公知であり、入手可能であり、公知の方法により調整することができる。抗体産生動物種としては、ヒト、マウス、ラット、ウサギ、ヤギ等々である。免疫グロブリンとしては、ＩｇＧ、ＩｇＭ、ＩｇＡ、ＩｇＥ、ＩｇＤのいずれでも良い。
モノクローナル抗体は、常法に従って、抗原（例えば、インフルエンザＡウイルス）で免疫したマウスの脾臓細胞と骨隋腫細胞をハイブリッドさせ、目的とする抗体を産生するハイブリドーマを選択し、このハイブリドーマから産生されてくるモノクローナル抗体を収得する。例えば、ケーラーとミルスタインの技法（Ｎａｔｕｒｅ  ２５６（１９７５）４９５−４９７）を参照。
ポリクローナル抗体は、常套手法により、抗原（例えば、インフルエンザＡウイルス）を産生動物（例えば、ヒト、マウス、ラット、ウサギ、ヤギ、ウマ等）に免疫して得た抗血清中から目的とする抗体を分離することにより得られる。
【００６８】
本発明の実施例においては、標識試薬に用いる試薬成分（第二試薬）としては、マウス由来抗インフルエンザＡモノクローナル抗体を用い、検出部位（４）に用いる試薬成分（第一試薬）としては、マウス由来抗インフルエンザＡモノクローナル抗体を用いた場合を記載しているが、これに限定されるものではない。マウス由来抗インフルエンザＡポリクローナル抗体を用いることもできる。
【００６９】
判定の原理を概説すると、
１．検体試料（検体を展開液で希釈処理したもの）を、サンプルパッド（１）上に、所定量(通常、０．１〜２ｍｌ)滴下する。検体試料が滴下されると、検体試料はサンプルパッド（１）に迅速に吸収されるが、速やかに試料と共に移動を始める。サンプルパッド（１）中にイムノクロマトグラフィー用試薬組成物が含浸されていた場合には、含浸されていたイムノクロマトグラフィー用試薬組成物は、検体試料の水分に溶解し、検体試料と共に移動を始める。
２．検体試料は、まず標識物質保持部位（２）へと移動する。ここを検体試料が通過する際、標識物質保持部位（２）に保持されていた標識試薬（第二試薬）が試料の水分に溶解し、試料と共に移動する。
【００７０】
３．ついで、検体試料の水分に溶解した標識試薬は、クロマトグラフィー媒体（３）上の検出部位（４）を通過する。ここでは、検体試料中に溶解しているイムノクロマトグラフィー用試薬組成物により非特異的結合反応は抑制され、抗原・抗体の特異的結合反応により、検体試料中に被検出物質（例えば、抗原）が存在する場合には、検出部位（４）に担持固定されている抗体と標識試薬とによってサンドイッチ状に挟まれるように特異的に反応結合して、検出部位（４）が着色する。検体試料中に被検出物質（例えば、抗原）が存在しない場合には、試料の水分に溶解した標識試薬は、クロマトグラフィー媒体（３）上の検出部位（４）を通過しても特異的結合反応が起こらないので、検出部位（４）が着色しない。
４．最後に、試料の水分は、吸収部位（５）へと移動する。
このように、検体試料中の被検出物質（例えば、抗原）の有無を正確に判定することができる。
【００７１】
以下、本発明を実施例および比較例により具体的に説明するが、本発明はこれらの実施例に限定されるものではない。なお、
（ｉ）平均粒子径の測定
重力的光散乱法（コロイド粒子を、ゾル状体のまま、１４０００〜５５３００００×ｇで回転させて超遠心分離機にかけ、その沈降速度から求める。）により求めることができるが、本発明では、動的光散乱（ＤＬＳ）測定器Ｚｅｔａｓｉｚｅｒ Ｎａｎｏ ＺＳ（マルバーン社製）により平均粒子径を算出する。また、透過型電子顕微鏡（ＴＥＭ：日本電子（株）製、ＪＥＭ−２０１０）により、撮影した投影写真を用いて無造作に１００個の粒子を粒子の投影面積円相当径を計測し、その平均値から平均粒径（平均粒子径）を算出することもできる。尚、平均核径も同様にＴＥＭ投影写真を用いて無造作に１００個の粒子を粒子の投影面積円相当径による平均値から算出され、平均突起長（グラフトの平均長さ）は、前記平均粒子径と平均核径の差分を２で除することで算出される。
（ｉｉ）極大吸収波長の測定
紫外可視分光光度計ＪＡＳＣＯ  Ｖ−５３０（装置名、（株）島津製作所社製）を用い測定する。測定は、波長８００〜２００ｎｍ、バンド幅０．５ｎｍ、石英セル光路長１０ｍｍの条件で行い、その測定により得られるスペクトルの極大値の波長を極大吸収波長とする。
【００７２】
［実施例１］
この実施例では、核形成段階において、第一の金塩である塩化金酸を第一の還元剤であるＨＥＰＥＳで還元し、金平糖状の核コロイドを形成した。その後、成長段階では、第二の金塩である塩化金酸と、第二の還元剤であるＬ−アスコルビン酸とを同時に滴下してよりサイズの大きい金平糖状の金コロイドを形成させた。
【００７３】
［核形成段階］
１０ｍｌ蓋付ガラス容器に、４×１０−２ｍｏｌ／Ｌ  ＨＥＰＥＳ  ｐＨ７．８を１０ｍｌ添加し、液温２５℃となるまで恒温槽内で保持した。一方、塩化金酸四水和物０．７ｇ（１．６×１０−２ｍｏｌ）を超純水１００ｍｌに溶解させ、液温４℃になるまで氷上で保持した。ＨＥＰＥＳ水溶液、塩化金酸水溶液共に液温が安定したら、塩化金酸水溶液０．３ｍｌをＨＥＰＥＳ水溶液に滴下し、２５℃恒温槽に１時間静置した。これにより、突起を含めた平均粒子径が４３ｎｍ程度の、ほぼ金平糖型、グラフ型またはマルチポット型（突起数１〜８）程度の金ナノコロイド粒子が製造された。コロイド溶液の単位体積（０．１ｍｌ）当たりの収率は９１％程度のものができた。残りのものは、真球状のもの、未反応物、などと推定できる。
【００７４】
［成長段階］
上記方法によって形成した金濃度４．０×１０−４ｍｏｌ／Ｌの核コロイド５ｍｌを、５００ｍｌの三口フラスコに入れ、液温が２０℃になるまで恒温槽内で攪拌した。液温が安定したら、塩化金酸四水和物１．５×１０−２ｇ（４．０×１０−５ｍｏｌ）を超純水１１６ｍｌに溶解させた塩化金酸水溶液と、Ｌ−アスコルビン酸４．２×１０−２ｇ（２．４×１０−４ｍｏｌ）を超純水１１６ｍｌに溶解させたＬ−アスコルビン酸水溶液１１６ｍｌとを、１．０ｍｌ／ｍｉｎの速度で同時に滴下して、２時間攪拌しながら反応させて、成長段階を行なった。滴下終了後、三口フラスコを恒温槽から取り出し、冷蔵庫で一晩静置した。得られた金ナノ粒子は、平均粒子径（ＤＬＳ）約６６．５ｎｍ程度、ＴＥＭ観察による計測では、平均核径が約３５．７ｎｍ程度であり、平均突起は１３．２ｎｍ、突起数平均４以上、突起角５０度程度、ＡＲは１以上のものが生成された。得られた金コロイドの溶液は、青色（目視によるマンセル表色系測色値：色相５Ｂ付近）、極大吸収波長は６１０ｎｍであった。
【００７５】
［実施例２］
この実施例では、より長い突起を持つ金平糖状の金コロイドの合成を目的として行なった。
実施例１の核形成段階で形成した４．０×１０−４ｍｏｌ／Ｌの核コロイド５ｍｌを、５００ｍｌの三口フラスコに入れ、液温が２０℃になるまで恒温槽内で攪拌した。液温が安定したら、塩化金酸四水和物１．５×１０−２ｇ（４．０×１０−５ｍｏｌ）を超純水１１６ｍｌに溶解させた塩化金酸水溶液と、Ｌ−アスコルビン酸４．２×１０−２ｇ（２．４×１０−４ｍｏｌ）とＨＥＰＥＳ  ０．１１ｇ（４．０×１０−３ｍｏｌ）を超純水１１６ｍｌに溶解させたＬ−アスコルビン酸ＨＥＰＥＳ水溶液１１６ｍｌとを、１．０ｍｌ／ｍｉｎの速度で同時に滴下して、２時間攪拌しながら反応させて、成長段階を行なった。滴下終了後、三口フラスコを恒温槽から取り出し、冷蔵庫で一晩静置した。
得られた金ナノ粒子は、突起を含めた平均粒子径（ＤＬＳ）約９８ｎｍ程度、ＴＥＭ観察による計測では、より長い突起を持つ金平糖状の金コロイドがより多く生成されているものと推定される。平均核径が約６５．７ｎｍ程度であり、成長した突起（グラフト）の平均長さは約１６．７ｎｍ程度、突起数平均４以上、突起角５０度程度、ＡＲは１以上のものが生成された。得られた金コロイドの溶液は、青緑色（目視によるマンセル表色系測色値：色相８ＢＧ付近）、極大吸収波長は６４１ｎｍであった。
【００７６】
［実施例３］
実施例１において、成長段階の液温を１０℃にした以外は、実施例１と同様にして、金コロイドを合成した。得られた金コロイド溶液の極大吸収波長を表１に示す。
実施例１の核形成段階で形成した４．３×１０−４ｍｏｌ／Ｌの核コロイド５ｍｌを、５００ｍｌの三口フラスコに入れ、液温である成長温度を１０℃になるまで恒温槽内で攪拌した。液温が安定したら、塩化金酸四水和物１．７×１０−２ｇ（４．２×１０−５ｍｏｌ）を超純水１１６ｍｌに溶解させた塩化金酸水溶液と、Ｌ−アスコルビン酸４．２×１０−２ｇ（２．４×１０−４ｍｏｌ）を超純水１１６ｍｌに溶解させたＬ−アスコルビン酸水溶液１１６ｍｌとを、１．０ｍｌ／ｍｉｎの速度で同時に滴下して、２時間攪拌しながら反応させて、成長段階を行なった。滴下終了後、三口フラスコを恒温槽から取り出し、冷蔵庫で一晩静置した。
得られた金ナノ粒子は、突起を含めた平均粒子径（ＤＬＳ）が約６７ｎｍ程度、ＴＥＭ観察による計測では、平均核径が５１．０ｎｍであり、成長した突起（グラフト）の平均長さは８．０ｎｍ程度、突起数平均４以上、突起角５０度程度、ＡＲは１以上のものが生成された。得られた金コロイドの溶液は、青色（目視によるマンセル表色系測色値：色相５ＰＢ付近）、極大吸収波長は５８７ｎｍであった。
【００７７】
［実施例４］
実施例１において、成長段階の液温を３０℃にした以外は、実施例１と同様にして、ほぼ金平糖型、グラフ型またはマルチポット型（突起数２〜４）程度の三次元状突起を有する金コロイドナノ粒子を合成した。
得られた金ナノ粒子は、突起を含めた平均粒子径（ＤＬＳ）６０．５ｎｍ程度、ＴＥＭ観察による計測であり、成長した突起（グラフト）の平均長さは７．５ｎｍ程度、突起数平均４以上、突起角５０度程度、ＡＲは１以上のものが生成された。得られた金コロイド溶液の極大吸収波長は５８６．５ｎｍであった。
結果を表１に示す。
【００７８】
［比較例１］
実施例１において、成長段階の液温を４０℃にした以外は、実施例１と同様にして、金コロイドを合成した。得られた金コロイド溶液の極大吸収波長を表１に示す。
成長段階の温度を４０℃にしたものであり、突起を含めた平均粒子径（ＤＬＳ）約５３ｎｍ程度、ＴＥＭ観察による計測では、平均核径が４５ｎｍであり、成長した突起（グラフト）の平均長さは４ｎｍ程度、突起数平均４以上、突起角１０度程度、のものが生成された。マルチポット型（突起数２〜４）の三次元状突起がやや丸みを帯びた金コロイド粒子が製造された。残りは、真球状のもの、未反応物、などと推定できる。得られた金コロイドの溶液は、赤味を帯び（目視によるマンセル表色系測色値：色相１０ＲＰ付近）、極大吸収波長が５３０ｎｍであった。
【００７９】
［比較例２］
実施例１において、成長段階のアスコルビン酸量を２．１×１０−２ｇ（１．２×１０−４ｍｏｌ）にした以外は、実施例１と同様にして、金コロイドを合成した。得られた金コロイド溶液の極大吸収波長を表１に示す。
実施例１の核形成段階で形成した４．３×１０−４ｍｏｌ／Ｌの核コロイド５ｍｌを、５００ｍｌの三口フラスコに入れ、液温である成長温度が３０℃になるまで恒温槽内で攪拌した。液温が安定したら、塩化金酸四水和物１．７×１０−２ｇ（４．２×１０−５ｍｏｌ）を超純水１１６ｍｌに溶解させた塩化金酸水溶液と、Ｌ−アスコルビン酸２．１×１０−２ｇ（１．２×１０−４ｍｏｌ）を超純水１１６ｍｌに溶解させたＬ−アスコルビン酸水溶液１１６ｍｌとを、１．０ｍｌ／ｍｉｎの速度で同時に滴下して、２時間攪拌しながら反応させて、成長段階を行なった。滴下終了後、三口フラスコを恒温槽から取り出し、冷蔵庫で一晩静置した。
得られた金ナノ粒子は、突起を含めた平均粒子径が約４８ｎｍ程度のものが生成された。
得られた金コロイドの溶液は、極大吸収波長は５３６．３ｎｍで赤味を帯びたものであった。
【００８０】
［比較例３］
実施例１において、成長段階のアスコルビン酸量を、８．４×１０−２ｇ（４．８×１０−４ｍｏｌ）にした以外は、実施例１と同様にして、金コロイドを合成した。得られた金コロイド溶液の極大吸収波長を表１に示す。
成長段階温度３０℃にしたものであり、核平均直径が６０．２ｎｍ、平均粒子径が７０．２ｎｍであった。得られた金コロイドの溶液は、極大吸収波長が５５０．０ｎｍで橙味を帯びたものであった。
【００８１】
［実施例５］
実施例２のＨＥＰＥＳに換えＨＥＰＰＳＯを用いたこと以外は、実施例２と同様にして、平均粒子径が約７２ｎｍである金コロイド粒子を作成した。得られた金コロイドの溶液は、青色（目視によるマンセル表色系測色値：色相１Ｂ付近）を呈し極大吸収波長は６３２ｎｍであった。
【００８２】
［実施例６］
実施例２のＨＥＰＥＳに換えＰＩＰＥＳを用いたこと以外は、実施例２と同様にして、平均粒子径が約８１ｎｍである金コロイド粒子を作成した。得られた金コロイドの溶液は、青色（目視によるマンセル表色系測色値：色相３Ｂ付近）を呈し極大吸収波長は６２６ｎｍであった。
【００８３】
［実施例７］
実施例２において、成長段階のアスコルビン酸に換えＬ−アスコルビン酸Ｎａを ４．７×１０−２グラム（２．４×１０−４ｍｏｌ）用い、ＨＥＰＥＳの量を０．２２ｇ（８．０×１０−３ｍｏｌ）用いたこと以外は、実施例２と同様にして、金コロイド溶液を合成した。
得られた金コロイド粒子の突起を含めた平均粒子径（ＤＬＳ）は約８２ｎｍ程度、平均核径が約４８ｎｍ程度であり、成長した突起（グラフト）の平均長さは約２０ｎｍ程度、突起数平均４以上、突起角５０度程度、ＡＲは１以上のものが生成された。得られた金コロイド溶液は、紺色（目視によるマンセル表色系測色値：色相５ＰＢ付近）、極大吸収波長は７５２ｎｍという、若干高い波長のものができる。
【００８４】
以上の実施例１〜７および比較例１〜３の測定結果を表１にまとめて表示する。
【００８５】
【表１】
0005358648.tif 000002
【００８６】
実施例１において、成長段階のアスコルビン酸に換えクエン酸を用いたこと以外は、実施例１と同様にして、金コロイド溶液を合成した。
得られた金コロイド粒子の突起を含めた平均粒子径（ＤＬＳ）、平均核径は同等程度であり、成長した突起（グラフト）の平均長さ、平均突起数、突起角度は同等程度であり、ＡＲは１以上のものが生成された。得られた金コロイド溶液は各実施例のものと同等程度のものが得られた。これにより、
本発明の成長段階で用いる第二の還元剤としては、還元性を有する有機酸、例えば、アスコルビン酸およびその誘導体、またはクエン酸およびその誘導体、以外の例えば、Ｄ（Ｌ）−リンゴ酸、Ｄ（Ｌ）−酒石酸、乳酸、タンニン酸、還元糖などを用いて実施すれば、生成する金コロイド溶液には、若干の違いがあるが、一応本発明の目的とする所定の範囲内の特性を有するものが製造できる。それらの各酸の無機または有機塩を用いて、上記実施例７等の方法に従って実施すれば、所定の金コロイド溶液を収得することができる。
【００８７】
以下、本発明の有効性を実験例を挙げて説明するが、本発明はこれらに限定されるものではない。
＜イムノクロマトグラフによるウイルス検出の実験例＞
［実施例８］
【００８８】
１．クロマトグラフ媒体上への反応部位の作製
ニトロセルロース膜（ミリポア社製：ＨＦ１２０）に、抗体塗布機（ＢｉｏＤｏｔ社製）を用いて、５重量％のイソプロピルアルコールを含むリン酸緩衝（ｐＨ７．４）で１．０ｍｇ／ｍＬの濃度になるように希釈した抗インフルエンザウイルスＡモノクローナル抗体を展開方向上流側（表２：ライン１）に、抗インフルエンザウイルスＢモノクローナル抗体を前記抗インフルエンザＡモノクローナル抗体の下流側（表２：ライン２）に塗布し、５０℃で３０分間乾燥させた。乾燥後、室温で一晩乾燥させ、クロマトグラフ媒体上へ反応部位を作製した。
【００８９】
２．標識物質溶液１の作製
前記実施例１で作成された青色金コロイド懸濁液０．５ｍＬに、リン酸緩衝（ｐＨ７．４）で０．１ｍｇ／ｍＬの濃度になるように希釈した抗インフルエンザウイルスＢモノクローナル抗体を０．１ｍＬ加え、室温で１０分間静置した。次いで、１０重量％の牛血清アルブミンを含むリン酸緩衝液（ｐＨ７．４）を０．１ｍＬ加え、十分撹絆した後、８０００×ｇで１５分間遠心分離を行った。上清を除去した後、１重量％の牛血清アルブミンを含むリン酸緩衝液（ｐＨ７．４）０．１ｍＬを加え、標識物質溶液１とした。
【００９０】
３．標識物質溶液２の作製
金コロイド懸濁液（田中貴金属工業社製：平均粒子径４０ｎｍ）０．５ｍＬに、リン酸緩衝（ｐＨ７．４）で０．１ｍｇ／ｍＬの濃度になるように希釈した抗インフルエンザウイルスＡモノクローナル抗体を０．１ｍＬ加え、室温で１０分間静置した。次いで、１０重量％の牛血清アルブミンを含むリン酸緩衝液（ｐＨ７．４）を０．１ｍＬ加え、十分撹絆した後、８０００×ｇで１５分間遠心分離を行った。上清を除去した後、１重量％の牛血清アルブミンを含むリン酸緩衝液（ｐＨ７．４）０．１ｍＬを加え、標識物質溶液２とした。
【００９１】
４．クロマトグラフ媒体の作製
上記作製した標識物質溶液１及び２をグラスファイバー製パッドに均一になるように添加した後、真空乾燥機にて乾燥させ、検出試薬保持部材とした。次いで、バッキングシートから成る基材に、上記調製したクロマトグラフ媒体、検出試薬保持部材、試料を添加する部分に用いるサンプルパッド、および展開した試料、不溶性担体を吸収するための吸収パッドを貼り合わせた。最後に、裁断機で幅が５ｍｍとなるように裁断し、クロマトグラフ媒体を作製した。
【００９２】
５．測定
上記作製したクロマトグラフ媒体を用いて、以下の方法で試料中のインフルエンザウイルスＡ（表２：抗原Ａ）及びインフルエンザウイルスＢ（表２：抗原Ｂ）の有無を測定した。即ち、０．５％Ｔｗｅｅｎ２０、０．６％ポリビニルピロリドン（ＰＶＰ）Ｋ−９０
（ 分子量 ３６万）、１．０％牛血清アルブミンと１５０ｍＭ塩化ナトリウムを含むトリス緩衝溶液（ｐＨ８．０）から成る展開液を陰性検体試料とし、ここに不活化処理した蛋白濃度がそれぞれ２５ｎｇ／ｍＬのインフルエンザウイルスＡおよび／またはインフルエンザウイルスＢを加えたものを陽性検体試料とし、各々１５０μＬをクロマトグラフ媒体のサンプルパッド上に載せて展開させ、１５分後に目視判定をした。反応部位におけるテストライン（ライン１及び２）の発色シグナルを明確に確認できるものを「＋」、発色シグナルは確認できるが、非常に色が薄いものを「±」、発色シグナルを確認できないものを「−」とした。実施例５の結果を表２に示す。
【００９３】
【表２】
0005358648.tif 000003
【００９４】
本発明の金平糖状の金コロイド粒子を、従来から汎用されている金属コロイド粒子、例えば、球状の金コロイド粒子と組み合わせて免疫学的測定、特にイムノクロマトグラフィー測定用の標識剤として用いることにより、生体試料中に含まれる別々の被検出物質をそれぞれに反応部位におけるテストライン（ライン１及び２）の別々の発色シグナルとして、明確かつ高感度に、誤認することなく検出することができた。
【産業上の利用可能性】
【００９５】
本発明の色違い金コロイド粒子は、青色ないしは青緑色であって、保護コロイド形成剤やアンモニウム塩などを含まないため毒性が無く、金が健康に良いため、顔料や、化粧品、免疫学的測定用の標識剤、細胞化学的マーカー、タンパク質染色剤として利用が可能である。  特に、免疫学的測定用の標識剤として、２本以上の発色ラインを有するイムノクロマト試験において、
１）  上記金コロイド粒子の球状の核に４〜２０の突起が形成されていること
２）  上記金コロイド粒子の平均粒子径が２０〜２００ｎｍであること
を特徴とする目視の青色によって検出対象物を標識し識別する為の金コロイド粒子を利用することが可能である。
【先行技術文献】
【特許文献】
【００９６】
【特許文献１】特開２００３−２６２６３８号公報
【特許文献２】特開２００５−２３３７４４号公報
【特許文献３】特開平６−１１６６０２号公報
【特許文献４】特開２００７−３２１２３２号公報
【特許文献５】特開２００８−１６４４０３号公報
【特許文献６】特開平１０−１３２８１７号公報
【特許文献７】特表２００８−５４５８８４号公報
【特許文献８】特表２００９−５０１７８６号公報
【特許文献９】特開２００６−１１８０３６号公報
【非特許文献】
【００９７】
【非特許文献１】Ｃｈｅｍ．Ｍａｔｅｒ．２００７，１９，２８２３−２８３０
【図１】
0005358648.tif 000004
【図２】
0005358648.tif 000005
【図３】
0005358648.tif 000006
【図４】
0005358648.tif 000007
【図５】
0005358648.tif 000008
【図６】
0005358648.tif 000009